(57)【要約】【課題】  カーテン布地を脱着する度に脱着する必要がなく、したがって紛失する虞もない日除けカーテン用脱着機構の抜け止め用キャップを提供する。【解決手段】  カーテン生地６の先端部支持手段１２と中間部支持手段１３のそれぞれが、筒体２５と該筒体２５の内部空間２４に収容される突条２３ｂとを備える。筒体２５の端部開口へ抜け止め用キャップ２１を被着し、内部空間２４に収容した突条２３ｂを抜け止め用キャップ２１にて抜け止めする。抜け止め用キャップ２１に、キャップ本体２１ａとフランジ２１ｃと蓋体３１とを設ける。【選択図】図１
2009201803.tif 000002
【特許請求の範囲】
【請求項１】
天窓の下側に対向配置した一対のカーテンレールの間にカーテン布地を配設し、
該カーテン布地の先端部を、前記一対のカーテンレール内に移動可能に設けられた先頭ランナに先端部支持手段を介して支持するとともに、
前記カーテン布地の中間部の複数箇所を、前記一対のカーテンレール内に移動可能に設けられた中間ランナに中間部支持手段を介して支持し、
該中間部支持手段と前記先端部支持手段のそれぞれは、前記カーテンレールと交差方向に配設される断面Ｃ字状の筒体と、該筒体の内部空間に収容される突条とを備え、
該突条に前記カーテン布地の先端部または中間部を係着して、前記突条を前記筒体の端部開口より着脱することによって前記カーテン布地を前記カーテンレールから脱着できるようにした日除けカーテン用脱着機構にあって、
前記筒体の端部開口への被着により、前記筒体の内部空間に収容した前記突条を抜け止めする日除けカーテン用脱着機構の抜け止め用キャップにおいて、
該抜け止め用キャップは、前記筒体の端部に外挿される円筒状のキャップ本体と、該キャップ本体の外端部外周に付設されるフランジと、該フランジに支軸にて支持され、該支軸を支点に前記フランジの外面に沿って回動し、前記筒体の端部開口を開閉自在に覆う板状の蓋体とを備えている
ことを特徴とする天井カーテンの日除けカーテン用脱着機構の抜け止め用キャップ。
【請求項２】
前記キャップ本体の外周面に、前記突条に連続する前記カーテン布地を挿通するためのスリットを長手方向に開設した
ことを特徴とする請求項１に記載の天井カーテンの日除けカーテン用脱着機構の抜け止め用キャップ。
【請求項３】
前記キャップ本体の外周面に、前記先頭ランナまたは前記中間ランナに吊持される吊り下げ用フックが設けられている
ことを特徴とする請求項１または２に記載の天井カーテンの日除けカーテン用脱着機構の抜け止め用キャップ。
【発明の詳細な説明】
【技術分野】
【０００１】
本発明は、建屋やサンルーム，バルコニー，パーゴラ，テラス囲い等の屋根や天井に設けられた天窓の内側に日除けを主目的に設けられる日除けカーテンを脱着できるようにした日除けカーテン用脱着機構にあって、
カーテン布地の先端部支持手段や中間部支持手段の筒体に収容した突条が筒体の端部から脱落するのを防止する日除けカーテン用脱着機構の抜け止め用キャップに関する。
【背景技術】
【０００２】
建屋やサンルーム等の屋根や天井に設けられる透明な天窓にあっては、その内側に開閉可能な日除けカーテンを設けて、日射量や採光量を調節できるようにしている。
この日除けカーテンの一例として、天窓の下側に対向配置した一対のカーテンレールの間にカーテン布地を配設し、該カーテン布地の先端部を、前記一対のカーテンレール内に移動可能に設けられた先頭ランナに先端部支持手段を介して支持するとともに、前記カーテン布地の中間部の複数箇所を、前記一対のカーテンレール内に移動可能に設けられた中間ランナに中間部支持手段を介して支持し、該中間部支持手段と前記先端部支持手段のそれぞれを、前記カーテンレールと交差方向に配設される断面Ｃ字状の筒体と、該筒体の内部空間に収容される突条とで構成し、該突条には前記カーテン布地の先端部と中間部の複数箇所を巻き掛け、前記筒体は先頭ランナまたは中間ランナに支持させ、該筒体の端部開口より前記カーテン布地を巻き掛けた突条を筒体の内部空間に挿入して、カーテン布地の先端部と中間部の複数箇所とを前記カーテンレール間に吊持するとともに、筒体の端部開口に抜け止め用キャップを被着して、筒体の内部空間に挿入した突条とこれに巻き掛けたカーテン布地の先端部や中間部が筒体の端部開口から脱落しないようにしており、またカーテン布地を汚れ等で洗濯したり、他の色柄のものに交換する場合には、上述の吊り下げとは逆の手順によってカーテン布地をカーテンレールから容易に取り外せることができるようにしたものがある（例えば、特許文献１参照）。
【０００３】
【特許文献１】特許第２９９８１２６号公報
【発明の開示】
【発明が解決しようとする課題】
【０００４】
上述の特許文献１に用いられる抜け止め用キャップは、段落番号０００８や図１，図２に符号８ｂで示されるように、筒状部の一端部を底壁で閉塞した有底の筒状に形成されており、筒状部を先端部支持手段や中間部支持手段の筒体端部に外挿して装着されるが、このような構成では、カーテン布地を脱着する度に抜け止め用キャップも脱着しなければならないという煩わしさがある。また、抜け止め用キャップは比較的に小さな部品であることから、筒体から取り外した際に紛失してしまう虞があり、抜け止め用キャップをなくしてしまうと筒体の端部が開口したままとなりと、カーテン布地の脱落を防止することができないという不具合を招くことがあった。
【０００５】
本発明は、かかる実情を背景にしてなされたもので、その目的とするところは、カーテン布地を脱着する度に脱着する必要がなく、したがって紛失する虞もない日除けカーテン用脱着機構の抜け止め用キャップを提供することにある。
【課題を解決するための手段】
【０００６】
上述の目的を達成するために、本発明は、天窓の下側に対向配置した一対のカーテンレールの間にカーテン布地を配設し、該カーテン布地の先端部を、前記一対のカーテンレール内に移動可能に設けられた先頭ランナに先端部支持手段を介して支持するとともに、前記カーテン布地の中間部の複数箇所を、前記一対のカーテンレール内に移動可能に設けられた中間ランナに中間部支持手段を介して支持し、該中間部支持手段と前記先端部支持手段のそれぞれは、前記カーテンレールと交差方向に配設される断面Ｃ字状の筒体と、該筒体の内部空間に収容される突条とを備え、該突条に前記カーテン布地の先端部または中間部を係着して、前記突条を前記筒体の端部開口より抜き差しすることによって前記カーテン布地を前記カーテンレールから脱着できるようにした日除けカーテン用脱着機構にあって、前記筒体の端部開口への被着により、前記筒体の内部空間に収容した前記突条を抜け止めする日除けカーテン用脱着機構の抜け止め用キャップにおいて、該抜け止め用キャップは、前記筒体の端部に外挿される円筒状のキャップ本体と、該キャップ本体の外端部外周に付設されるフランジと、該フランジに支軸にて支持され、該支軸を支点に前記フランジの外面に沿って回動し、前記筒体の端部開口を開閉自在に覆う板状の蓋体とを備えていることを特徴としている。
【０００７】
本発明の構成によれば、抜け止め用キャップは、キャップ本体を先端部支持手段や中間部支持手段の筒体端部に外挿したまま、支軸を支点に蓋体をフランジの外面に沿って回動させることにより、筒体の端部開口を開閉させて、カーテン布地の先端部または中間部に係着した突条を筒体内部に抜き差しする。
【０００８】
キャップ本体の外周面には、突条に連続するカーテン布地を挿通するためのスリットを長手方向に開設してもよく、同じくキャップ本体の外周面に、先頭ランナや中間ランナに吊持される吊り下げ用フックを設けておくこともできる。
筒体端部へのキャップ本体の固定手段として、圧入や接着あるいはねじ込みが簡易で適当である。また、フランジの外面に沿って回動する蓋体の動作は、すなわち蓋体がキャップ本体の中心軸と交差方向に回動することであり、このため、筒体の内部空間に収容した突条がカーテン開閉の際の振動等で蓋体の内面に衝突することがあっても、それによって蓋体がみだり開くことはない。
【発明の効果】
【０００９】
本発明にかかる日除けカーテン用脱着機構の抜け止め用キャップは、キャップ本体を筒体の端部に装着したまま、カーテン生地に係着した突条を抜き差しするときのみ蓋体を開閉するようにしたから、抜け止め用キャップの脱着作業が不要となって作業性が高まり、しかも抜け止め用キャップの紛失がないので、カーテン布地の脱落を有効に防止することができる。
また、抜け止め用キャップの蓋体がフランジの外面に沿って回動するようにしたから、筒体の内部空間に収容した突条がカーテン開閉の際の振動等で蓋体の内面に衝突することがあっても蓋体がみだり開くことはなく、突条の収納状態をよく維持できる。
さらに、キャップ本体の外周面にスリットを長手方向に開設して、このスリットにカーテン布地を収容できるようにしておくことにより、筒体の長さが同じでも幅広のカーテン布地を用いることができるようになる。また、キャップ本体の外周面に、先頭ランナや中間ランナに吊持される吊り下げ用フックを設けることにより、先端部支持手段や中間部支持手段を少ない部品点数で先頭ランナや中間ランナにつなぐことができる。
【発明を実施するための最良の形態】
【００１０】
以下、本発明に係る日除けカーテン用脱着機構の抜け止め用キャップの一実施例を図面に基づいて説明する。
図中、図１は中間部支持手段の筒体に取り付けた抜け止め用キャップの蓋体を開けた状態の斜視図、図２はオープンテラスの概略を示す斜視図、図３は日除けカーテンの断面側面図、図４は中間部支持手段の拡大断面側面図、図５は中間部支持手段の筒体に取り付けた抜け止め用キャップを示し、（ａ）は抜け止め用キャップの断面正面図、（ｂ）は（ａ）のｂ−ｂ断面図、図６は中間部支持手段の筒体に取り付けた抜け止め用キャップの蓋体を閉じた状態の斜視図である。
【００１１】
図２は、建屋の外壁に付設されたオープンテラス１を示しており、該オープンテラス１の屋根組にアクリル樹脂等からなる透明な屋根材を組み付けてオープンテラスの屋根全体を天窓２としており、該天窓２の下側で建屋からオープンテラス１の外方向へ下り勾配に設けられた複数の天井フレーム３の間には、３つの日除けカーテン４が傾斜面に沿って配設されている。
【００１２】
各日除けカーテン４は、相隣る天井フレーム３，３に内向きに付設された一対のカーテンレール５，５の間に帯状のカーテン布地６が開閉可能に配設されている。
カーテン布地６は、建屋側の基端をカーテンレール５，５に係止リング７及びフック８とあて布９とを介して係止され、オープンテラス外側に位置する先端側をカーテンレール５，５内の先頭ランナ１０と一体の先頭バー１１に先端側支持手段１２を介して係着されている。
また、カーテン布地６の中間部には複数の中間部支持手段１３が等間隔に設けられ、該中間部支持手段１３の両端がカーテンレール５，５内の中間ランナ１４に支持されていて、前記先頭バー１１を移動することにより、カーテン布地６がカーテンレール５，５に沿って開閉されるようになっている。
【００１３】
先端側支持手段１２と中間部支持手段１３のそれぞれは、カーテン布地６に所定間隔をおいてカーテンレール４と交差方向に固着される複数の位置決め部材２０と、カーテンレール４と交差方向に配設され、且つ両端部を前記中間ランナ１４に抜け止め用キャップ２１とを介して連結される複数のカーテン支持部材２２とからなっている。
【００１４】
一方の位置決め部材２０は、シート状体２３ａと該シート状体２３ａの一側縁に連続する突条２３ｂとからなる雄型に形成され、他方のカーテン支持部材２２は、位置決め部材２０の突条２３ｂを内部空間２４に収容する筒体２５の一側部に、位置決め部材２０のシート状体２３ａを収容するスリット２６を開設した断面Ｃ字状の雌型に形成されており、筒体２５の両端は着脱可能な有底円筒状の抜け止め用キャップ２１（一方は図示せず）にて閉塞されている。
【００１５】
図１及び図５（ａ）に示すように、位置決め部材２０には、既製品であるスライドファスナのファスナストリンガーが用いられており、このファスナストリンガーを構成するファスナテープを前述のシート状体２３ａとなし、ファスナテープの一側縁に断続するエレメント列を前述の突条２３ｂとなしており、シート状体２３ａの他側縁側裏面をカーテン布地６の所定位置に接着剤２７で接合して、位置決め部材２０がカーテンレール４と交差方向（カーテン布地６の幅方向）に固着される。
【００１６】
前記抜け止め用キャップ２１は、一側面長手方向に幅広の溝３０を開設した円筒状のキャップ本体２１ａと、該キャップ本体２１ａの前記溝３０とは反対側の外周面に突出する係止リング２１ｂと、キャップ本体２１ａの一端部外周に付設されるフランジ２１ｃと、該フランジ２１ｃに支軸３１ａにて支持され、フランジ２１ｃの外側面を開閉自在に覆う板状の蓋体３１とからなっている。
抜け止め用キャップ２１をカーテン支持部材２２の筒体２５に装着するには、溝３０をカーテン支持部材２２のスリット２６に合致させながら、キャップ本体２１ａを筒体２５の端部に被せ、さらに蓋体３１が筒体２５の端部に当接するまでキャップ本体２１ａを押し込むことにより、キャップ本体２１ａが筒体２５の端部外側に弾性力をもって装着される。
【００１７】
また、位置決め部材２０とカーテン支持部材２２とを連結するには、一方の抜け止め用キャップ２１の蓋体３１をフランジ２１ｃの外側面に沿ってキャップ本体２１ａの軸線と交差方向に回動することにより、抜け止め用キャップ２１のキャップ本体２１ａとカーテン支持部材２２の筒体２５の一端部を開口させ、その開口より筒体２５の内部空間２４に位置決め部材２０の突条２３ｂを差し込み、同時に筒体２５のスリット２６にシート状体２３ａの一側縁側を差し込んでいく。
そして、位置決め部材２０の突条２３ｂとシート状体２３ａの全体をカーテン支持部材２２の筒体２５とスリット２６に収容したのち、抜け止め用キャップ２１の蓋体３１を戻して抜け止め用キャップ２１のキャップ本体２１ａとカーテン支持部材２２の筒体２５の一端部を閉塞することにより、位置決め部材２０とカーテン支持部材２２とが連結される。
【００１８】
位置決め部材２０を連結したカーテン支持部材２２は、抜け止め用キャップ２１の係止リング２１ｂを中間ランナ１４の係止リング１４ａに係着することにより、カーテン布地６の中間部が所定箇所を複数の中間ランナ１４によって吊持され、またカーテン布地６の先端側支持手段１２も同様にして先頭バー１１に吊持される。
【００１９】
カーテン布地６は、このようにしてカーテンレール４，４に取り付けられ、先頭バー１１の移動によって開閉される。
また、カーテン布地６を洗濯したり、他の色柄のものに交換する場合には、先端側支持手段１２と中間部支持手段１３の各筒体２５の端部に外挿したいずれか一方の抜け止め用キャップ２１の蓋体３１を回動して、内部空間２４とスリット２６の一端を開口し、この開口から突条２３ｂとシート状体２３ａを引き出して、位置決め部材２０とカーテン支持部材２２とを分離することにより、カーテン布地６が取り外される。
カーテン布地６の洗濯は、カーテン布地６に位置決め部材２０が付いたまま行われ、洗濯後に乾燥及びアイロンがけをしたカーテン布地６は、所定位置の位置決め部材２０をカーテン支持部材２２に再組み付けしてカーテンレール４，４に取り付けられるので、中間部を等間隔で簡便に吊り下げ支持することができ、見た目も美麗である。
【図面の簡単な説明】
【００２０】
【図１】本発明の一実施例を示す中間部支持手段の筒体に取り付けた抜け止め用キャップの蓋体を開けた状態の斜視図である。
【図２】本発明の一実施例を示すオープンテラスの概略を示す斜視図である。
【図３】本発明の一実施例を示す日除けカーテンの断面側面図である。
【図４】本発明の一実施例を示す中間部支持手段の拡大断面側面図である。
【図５】本発明の一実施例を示す中間部支持手段の筒体に取り付けた抜け止め用キャップの断面正面図である。
【図６】本発明の一実施例を示す中間部支持手段の筒体に取り付けた抜け止め用キャップの蓋体を閉じた状態の斜視図である。
【符号の説明】
【００２１】
１…オープンテラス
２…天窓
３…天井フレーム
４…日除けカーテン
５…カーテンレール
６…カーテン布地
１０…先頭ランナ
１１…先頭バー
１２…先端側支持手段
１３…中間部支持手段
１４…中間ランナ
２０…位置決め部材
２１…抜け止め用キャップ
２１ａ…キャップ本体
２１ｂ…係止リング
２１ｃ…フランジ
２２…カーテン支持部材
２３ａ…シート状体
２３ｂ…突条
２４…内部空間
２５…筒体
２６…スリット
２７…接着剤
３１…蓋体
【図１】
2009201803.tif 000003
【図２】
2009201803.tif 000004
【図３】
2009201803.tif 000005
【図４】
2009201803.tif 000006
【図５】
2009201803.tif 000007
【図６】
2009201803.tif 000008